(57)【要約】傾斜方向の皮膚施術に適するマルチニードルモジュールが開示される。本発明の一実施形態に係るマルチニードルモジュールは、ハウジング部と、前記ハウジング部内に相互に平行になるように備えられた複数のニードルとを含み、前記ニードルの先端は、平面（Ｓ１）に沿う配列を有し、前記平面（Ｓ１）は、前記ニードルに垂直な平面（Ｐ２）に対して所定角度に傾斜する平面である。
2020529890.tif 000002
【特許請求の範囲】
【請求項１】
傾斜方向の皮膚施術用のマルチニードルモジュールにおいて、
ハウジング部と、
前記ハウジング部内に相互に平行になるように配置された複数のニードルと
を含み、
前記ニードルの先端は、平面（Ｓ１）に沿う配列を有し、前記平面（Ｓ１）は、前記ニードルに垂直な平面（Ｐ２）に対して所定角度に傾斜する平面であるマルチニードルモジュール。
【請求項２】
前記マルチニードルモジュールは、複数のニードルガイドを含み、
前記ニードルガイドの先端面は、前記平面（Ｓ１）に沿って配列されることを特徴とする請求項１に記載のマルチニードルモジュール。
【請求項３】
前記ニードルガイドの前記先端面は、前記ニードルに垂直な平面で形成されることを特徴とする請求項２に記載のマルチニードルモジュール。
【請求項４】
前記ニードルガイドの前記先端面は、前記平面（Ｓ１）と同一傾斜を有する平面で形成されることを特徴とする請求項２に記載のマルチニードルモジュール。
【請求項５】
前記ハウジング部は、皮膚密着面を有し、前記皮膚密着面は、前記平面（Ｓ１）に沿って配置されることを特徴とする請求項１に記載のマルチニードルモジュール。
【請求項６】
前記ハウジング部は、前記ニードルに対して平行な４つの側面部を含み、前記４つの側面部の先端に位置する傾斜する４つの先端エッジ面が前記皮膚密着面を構成することを特徴とする請求項５に記載のマルチニードルモジュール。
【請求項７】
傾斜方向の皮膚施術用のマルチニードルモジュールとして、
ハウジング部と、
前記ハウジング部内に相互に平行になるように備えられた複数のニードルと
を含み、
前記ニードルの先端は、曲面（Ｓ２）に沿う配列を有し、
前記曲面（Ｓ２）は、前記ニードルに垂直な少なくとも一つの方向から見られる際、前記ニードルに垂直な平面（Ｐ２）に対して傾斜するように配置された曲面であるマルチニードルモジュール。
【請求項８】
前記曲面（Ｓ）は、前記ニードルに垂直なただ一つの方向から見られる際、前記ニードルに垂直な平面（Ｐ２）に対して傾斜するように配置された曲面であることを特徴とする請求項７に記載のマルチニードルモジュール。
【請求項９】
前記曲面（Ｓ）は、前記ニードルに垂直な二つの方向から見られる際、前記ニードルに垂直な平面（Ｐ２）に対して傾斜するように配置された曲面であり、
前記二つの方向は、相互に垂直な方向であることを特徴とする請求項７に記載のマルチニードルモジュール。
【請求項１０】
前記マルチニードルモジュールは、複数のニードルガイドを含み、前記ニードルガイドの先端面は、前記曲面（Ｓ１）に沿って配列されることを特徴とする請求項７に記載のマルチニードルモジュール。
【請求項１１】
前記ニードルガイドの前記先端面は、前記ニードルに垂直な平面で形成されることを特徴とする請求項１０に記載のマルチニードルモジュール。
【請求項１２】
前記ニードルガイドの前記先端面は、前記曲面（Ｓ２）の一部をなす曲面で形成されることを特徴とする請求項１０に記載のマルチニードルモジュール。
【請求項１３】
前記ハウジング部は、皮膚密着面を有し、前記皮膚密着面は、前記曲面（Ｓ２）に沿って配置されることを特徴とする請求項７に記載のマルチニードルモジュール。
【請求項１４】
前記ハウジング部は、前記ニードルに対して平行な４つの側面部を含み、前記４つの側面部の先端に位置する傾斜する４つの先端エッジ面が前記皮膚密着面を構成することを特徴とする請求項１３に記載のマルチニードルモジュール。
【発明の詳細な説明】
【技術分野】
【０００１】
本発明は、皮膚に栄養剤や薬物などの浸透対象物を浸透させるために使われるマルチニードルモジュールに関し、より詳細には、垂直方向ではなく、傾斜方向の皮膚施術に好適に使われるマルチニードルモジュールに関する。
【背景技術】
【０００２】
マルチニードルモジュールは、皮膚治療、皮膚の老化防止、スキンケア、皮膚整形などの目的として、栄養剤や薬物のような浸透対象物を皮膚の中に浸透させるために使われる施術の道具として、同時に作動する複数のニードルが規則的に配列されているため、施術の時間が短縮され、行き届いた施術が可能であるという利点を有する。
【０００３】
マルチニードルモジュールは、ニードルの種類に応じて、直接注入式モジュールと間接注入式モジュールとで区分されてよい。本明細書で、直接注入式モジュールは、内部に長手方向に伸長された注入通路（ｉｎｊｅｃｔｉｏｎ  ｐａｓｓａｇｅ）のある中空型ニードル（ｈｏｌｌｏｗ−ｔｙｐｅ  ｎｅｅｄｌｅｓ）を備えたモジュールを意味し、間接注入式モジュールは、そのような注入ホールのないソリッド型ニードル（ｓｏｌｉｄ−ｔｙｐｅ  ｎｅｅｄｌｅｓ）を備えたモジュールを意味する。
【０００４】
直接注入式モジュールの場合、それに接続される注射器から注入液を受けて、それを中空型ニードルを介して皮膚の中に直接浸透させる用途に使われ、間接注入式モジュールの場合、皮膚の表面に予め塗布された浸透対象物が皮膚の中に浸透できるように皮膚を単にパンチングする用途に使われる。
【０００５】
従来のマルチニードルモジュールは、皮膚に垂直にニードルを浸透させるための構造を有する。しかし、垂直施術の場合、深さの浅い皮膚層をターゲットにする際、傾斜−カット形状を有するニードル先端の一部が皮膚の外に露出された状態になり、その部分を通じて施術の途中に注入対象物が漏れ出てしまうという問題が生じかねない。
【０００６】
マルチニードルモジュールで傾斜方向の施術を進める場合、同じ深さの皮膚層をターゲットにする際、垂直方向の施術の場合に比べて、ニードル先端の挿入の長さが相対的に大きくなる。よって、浅い皮膚層に対して垂直方向の施術を進める際に発生し得る上述の問題は、傾斜方向の施術によって解消することができる。
【０００７】
しかし、従来のマルチニードルモジュールは、殆ど垂直施術用であるため、浅い深さの皮膚層の施術に好適に使われる傾斜施術用のマルチニードルモジュールの開発が求められている。
【０００８】
なお、皮膚施術の目的、施術対象部位の特性、浸透対象物の特性などに応じて、垂直施術よりは傾斜施術の方が望ましい場合も多いため、傾斜施術用のマルチニードルモジュールを開発が急がれている。
【発明の概要】
【発明が解決しようとする課題】
【０００９】
そこで、本発明は、上記問題に鑑みてなされたものであり、本発明の目的とするところは、浅い深さの皮膚層の施術に特に好適に使われる傾斜施術用のマルチニードルモジュールを提供することにある。
【課題を解決するための手段】
【００１０】
本発明は、傾斜方向の皮膚施術に適するマルチニードルモジュールであって、ハウジング部と、前記ハウジング部内に相互に平行になるように備えられた複数のニードルとを含み、前記ニードルの先端は、平面（Ｓ１）を沿う配列を有し、前記平面（Ｓ１）は、前記ニードルに垂直な平面（Ｐ２）に対して所定角度に傾斜する平面であるマルチニードルモジュールを提供する。
【００１１】
前記マルチニードルモジュールは、前記ニードルを部分収容する複数のニードルガイドを含み、前記ニードルガイドの先端面は、前記平面（Ｓ１）に沿って配列されてもよい。
前記ニードルガイドの前記先端面は、前記ニードルに垂直な平面で形成されてもよい。
【００１２】
前記ニードルガイドの前記先端面は、前記平面（Ｓ１）と同一傾斜を有する平面で形成されてもよい。
前記ハウジング部は、皮膚密着面を有し、前記皮膚密着面は、前記平面（Ｓ１）に沿って配置されてもよい。
【００１３】
前記ハウジング部は、前記ニードルに対して平行な４つの側面部を含み、前記４つの側面部の先端に位置する傾斜する４つの先端エッジ面が前記皮膚密着面を構成してもよい。
【００１４】
なお、本発明は、傾斜方向の皮膚施術に適するマルチニードルモジュールであって、ハウジング部と、前記ハウジング部内に相互に平行になるように備えられた複数のニードルとを含み、前記ニードルの先端は、曲面（Ｓ２）を沿う配列を有し、前記曲面（Ｓ２）は、前記ニードルに垂直な少なくとも一つの方向から見られる際、前記ニードルに垂直な平面（Ｐ２）に対して傾斜するように配置された曲面であるマルチニードルモジュールを提供する。
【００１５】
前記曲面（Ｓ）は、前記ニードルに垂直なただ一つの方向から見られる際、前記ニードルに垂直な平面（Ｐ２）に対して傾斜するように配置された曲面であってもよい。
【００１６】
前記曲面（Ｓ）は、前記ニードルに垂直な二つの方向から見られる際、前記ニードルに垂直な平面（Ｐ２）に対して傾斜するように配置された曲面であり、前記二つの方向は、相互に垂直な方向であってもよい。
【００１７】
前記マルチニードルモジュールは、前記ニードルを部分収容する複数のニードルガイドを含み、前記ニードルガイドの先端面は、前記曲面（Ｓ１）に沿って配列されてよい。
【００１８】
前記ニードルガイドの前記先端面は、前記ニードルに垂直な平面で形成されてもよい。
前記ニードルガイドの前記先端面は、前記曲面（Ｓ２）の一部をなす曲面で形成されてもよい。
【００１９】
前記ハウジング部は、皮膚密着面を有し、前記皮膚密着面は、前記曲面（Ｓ２）を沿って配置されてもよい。
前記ハウジング部は、前記ニードルに対して平行な４つの側面部を含んでよく、前記４つの側面部の先端に位置する傾斜する４つの先端エッジ面が前記皮膚密着面を構成してもよい。
【発明の効果】
【００２０】
本発明に係るマルチニードルモジュールは、ハウジング部の先端部にニードルに対して傾斜するように配置された皮膚密着面を有するため、傾斜方向の皮膚施術用に好適に使われることができる。
【００２１】
本発明に係るマルチニードルモジュールに注射器に接続して皮膚に栄養剤や薬剤を注入する場合、ニードルの皮膚浸透の深さを浅く設定するとしても、通常のモジュールに比べてニードル先が十分に皮膚の中に浸透できるため、皮膚の外に露出しているニードル先の部分から栄養剤や薬剤が損失することを防止することができる。よって、本発明のマルチニードルモジュールは、深さの浅い皮膚層に栄養剤や薬剤を注入するための用途に有用に使うことができる。
【図面の簡単な説明】
【００２２】
【図１】本発明の一実施形態に係るマルチニードルモジュールを示す斜視図である。
【図２】図１のマルチニードルモジュールの側面図である。
【図３】図１のマルチニードルモジュールのＡ−Ａ’線に沿った部分断面図として、初期状態の様子を示す図である。
【図４】図１のマルチニードルモジュールのＡ−Ａ’線に沿った部分断面図として、施術中にニードルがモジュールの外に出る様子を示す図である。
【図５】従来のマルチニードルモジュールと図１のマルチニードルモジュールとを比較するための図として、従来のマルチニードルモジュールの使用例を示す図である。
【図６】従来のマルチニードルモジュールと図１のマルチニードルモジュールとを比較するための図として、図１のマルチニードルモジュールの使用例を示す図である。
【図７】本発明の第２実施形態に係るマルチニードルモジュールの側面図である。
【図８】図７のマルチニードルモジュールの部分断面図である。
【図９】図７のマルチニードルモジュールの部分断面図として、図８の断面に垂直な別の断面を示す図である。
【図１０】図７のマルチニードルモジュールのニードルガイドの別の実施例を示す図である。
【発明を実施するための形態】
【００２３】
以下に添付図面を参照しながら、本発明の実施形態に係る傾斜施術用のマルチニードルモジュールについて詳細に説明する。
【００２４】
図１は、本発明の一実施形態に係る傾斜施術用のマルチニードルモジュール１００を示す斜視図であり、図２は、図１のマルチニードルモジュール１００を示す斜視図であり、図３及び図４は、図１のマルチニードルモジュール１００のＡ−Ａ’線に沿った部分断面図である。
【００２５】
図１ないし図４を参照すると、本発明の実施形態に係る傾斜施術用のマルチニードルモジュール１００は、ハウジング部２００と、接続ポート３００と、ニードル装着部４００及び複数のニードル５００を含む。
【００２６】
ハウジング部２００は、マルチニードルモジュール１００の枠をなす構成として、前後に開放された略六面体のボックス状である。
【００２７】
ハウジング部２００内には、内部の空間を二つに分割する垂直壁２７０と、その垂直壁２７０から皮膚密着面２５０側に垂直なように突出している複数のニードルガイド２９０が備えられる。
【００２８】
ニードルガイド２９０は、施術の途中にニードル５００の動きをガイドするための構成として、その内部にはニードル５００の一部を収容する中空が形成されており、その先端面２９２（図１を参照）には、内部の中空と接続されたニードル出入孔２９１が形成されている。
【００２９】
接続ポート３００は、注射器又は作動補助器具に接続される構成である。マルチニードルモジュール１００が直接注入式モジュールである場合、注入液が収容された注射器が接続ポート３００に接続されて使用され、マルチニードルモジュール１００が間接注入式モジュールである場合、マルチニードルモジュール１００のニードル浸透動作のみを補助するための作動補助器具が接続ポート３００に接続されて使用される。
【００３０】
ニードル装着部４００は、複数のニードル５００が装着される構成として、一側には接続ポート３００と接続される。図４に示すように、接続ポート３００に接続された注射器又は作動補助器具が先進駆動される際、接続ポート３００に接続されたニードル装着部４００も先進動作し、それにより、ニードル５００がニードルガイド２９０の外に突き出て皮膚の中に浸透する。
【００３１】
マルチニードルモジュール１００が直接注入式モジュールである場合、ニードル装着部４００には注入液分配チェンバ（図示せず）が形成される。このような分配チェンバは、接続ポート３００を介して注射器から注入液を注ぎ入れられ、それを各ニードルに均等に分配する役割を担う。
【００３２】
複数のニードル５００は、中空型ニードル（ｈｏｌｌｏｗ−ｔｙｐｅ  ｎｅｅｄｌｅｓ）又はソリッド型ニードル（ｓｏｌｉｄ−ｔｙｐｅ  ｎｅｅｄｌｅｓ）で備えられてよい。マルチニードルモジュール１００が注射器と接続されて使用される直接注入式モジュールである場合、複数のニードル５００は、内部に注入通路の形成された中空型ニードルで備えられ、マルチニードルモジュール１００が作動補助器具と接続されて使用される間接注入式モジュールである場合、複数のニードル５００は内部に注入通路のないソリッド型ニードルで備えられる。
【００３３】
図２及び図３を参照すると、ニードル５００の先端は、平面（Ｓ１）を沿う配列を有し、その平面（Ｓ１）は、ニードル５００に垂直な平面（Ｐ２）に対して所定の角度（θ１）分傾斜している平面である。ここで、平面（Ｐ２）は、図２に示す座標を基準にＹ−Ｚ平面を指す。
【００３４】
ニードル５００の先端が平面（Ｓ１）を沿う傾斜する配列を有することで、本実施形態のマルチニードルモジュール１００は傾斜施術に好適に使用されることができる。
【００３５】
複数のニードル５００は、上方に進むにつれてその長さが次第に長くなる。より具体的に、本実施形態のマルチニードルモジュール１００は、計９つのニードル５００を備えるが、第３側面部２４０に隣接する３つの下側ニードル５００の長さが最も短く、第４側面部２３０に隣接する３つの上側ニードル５００の長さが最も長く、中間に配置された残りの３つの中間ニードル２９０が中間の長さを有する。
【００３６】
本実施形態において、ニードルガイド２９０の先端面２９２も前記平面（Ｓ１）に沿って配列される。ニードル５００とともにニードルガイド２９０の先端面２９２が平面（Ｓ１）に沿う配列を有することで、本実施形態のマルチニードルモジュール１００が傾斜施術に更に好適に使用されることができる。
【００３７】
図３に示すように、ニードルガイド２９０の先端面２９２は、前記平面（Ｓ１）の傾斜と同一の傾斜を有する平面で形成されてよい。代案として、その先端面２９２は、前記ニードルに垂直な平面で形成されてよい。
【００３８】
図３に示すように、ニードルガイド２９０は、ニードル５００と同様に、上方に進むにつれてその長さが次第に長くなる。より具体的に、本実施形態のマルチニードルモジュール１００は、計９つのニードルガイド２９０を備えるが、第３側面部２４０に隣接する３つの下側ニードルガイド２９０の長さが最も短く、第４側面部２３０に隣接する３つの上側ニードルガイド２９０の長さが最も長く、中間に配置された残りの３つの中間ニードルガイド２９０が中間の長さを有する。
【００３９】
前記ハウジング部２００は、４つの側面部２１０、２２０、２３０、２４０を有するものであってよい。左右に配置される第１及び第２側面部２１０、２２０が相互に平行になるように対向配置され、上下に配置される第３及び第４側面部２３０、２４０も相互に平行になるように対向配置される。そして、４つの側面部２１０、２２０，２３０、２４０は、ニードル５００に対して平行になるように配置される。
【００４０】
図２に示すように、左右に配置された第１及び第２側面部２１０、２２０は、一側の角のみが傾斜する台形である一方で、上下に配置された第３及び第４側面部２３０、２４０は、傾斜する角がなく長方形である。
【００４１】
各側面部２１０、２２０、２３０、２４０は、先端エッジ面２１１、２２１、２３１、２４１を有する。このような４つの先端エッジ面２１１、２２１、２３１、２４１は、相互接続され、一つの皮膚密着面２５０を形成する。皮膚密着面２５０は、マルチニードルモジュール１００で施術を行う途中に対象皮膚に密着する。このような皮膚密着面２５０は、前記平面（Ｓ１）に沿って配置される。
【００４２】
本実施形態において、皮膚密着面２５０は四角をしているが、ハウジング部２００の形に添って皮膚密着面２５０の形が変わってよい。例えば、ハウジング部２００が円筒状に製作された場合、皮膚密着面２５０は楕円形になる。
【００４３】
図５及び図６は、従来のマルチニードルモジュールと図１のマルチニードルモジュールとを比較するための図として、図５は、従来のマルチニードルモジュールの使用例を示す図であり、図６は、図１のマルチニードルモジュールの使用例を示す図である。
【００４４】
まず、図５を見ると、皮膚密着面がニードル６０に対して垂直な配置を有する通常のマルチニードルモジュール１０を有し、浅い深さ（ｄ）で栄養剤や薬剤を皮膚の中に注入する場合、傾斜−カット状のニードル先端の一部分が皮膚の中に完全に浸透することができず、その一部分が皮膚の外に露出するおそれがあり、よって、その露出してしまったニードル先端を介して注入対象物の一部が外に漏れ出てしまって無駄になることが生じることがあった。
【００４５】
次に、図６を見ると、本発明の実施形態に係るマルチニードルモジュールを有し、同一の浅い深さ（ｄ）の皮膚層に注入対象物を注入する場合、傾斜−カット状のニードル先端の一部分が皮膚の外に露出せずに、そのニードル先端全体が皮膚の中に浸透することになるため、注入対象物が露出しているニードル先端によって無駄になるということを防止することができる。
【００４６】
図７は、本発明の第２実施形態に係るマルチニードルモジュール６００の側面図であり、図８は、図７のマルチニードルモジュール６００の部分断面図であり、図９は、図７のマルチニードルモジュール６００の部分断面図として、図８の断面に垂直な別の断面を示す図であり、図１０は、図７のマルチニードルモジュールのニードルガイド２９０Ａの別の実施例を示す図である。
【００４７】
上述の第１実施形態のマルチニードルモジュール１００と比較し、第２実施形態に係るマルチニードルモジュール６００の相違点を中心に説明する。
【００４８】
第２実施形態に係るマルチニードルモジュール６００のニードル５００の先端は、上述の第１実施形態のマルチニードルモジュール６００と違って、曲面（Ｓ２）に沿う配列を有する。
【００４９】
本発明において、曲面（Ｓ２）は、ニードル５００に垂直な少なくとも一つの方向から見られる際、ニードル５００に垂直な平面（Ｐ２）に対して傾斜するように配置された曲面である。
【００５０】
本実施形態は、曲面（Ｓ２）が、ニードル５００に垂直な２つの方向から見られる際、上記平面（Ｐ２）に対して傾斜するように配置された曲面である場合を例示する。具体的に、曲面（Ｓ２）は、図７及び図８に示すように、第１方向（図面ではＹ方向）から見る際、前記平面（Ｐ２）に対して所定の角度（θ２）分傾斜する曲面であり、なお、曲面（Ｓ２）は、図９に示すように、第１方向に垂直な第２方向（図面ではＺ方向）から見る際、前記平面（Ｐ２）に対して所定の角度（θ３）分傾斜する曲面である。
【００５１】
なお、代案として、曲面（Ｓ２）は、ニードル５００に垂直なただ一つの方向から見る際にのみ、前記平面（Ｐ２）に対して傾斜するように配置された曲面であってよい。
【００５２】
ニードル５００の先端が、上述のように、傾斜するように配置された曲面（Ｓ１）に沿って配列されることで、本実施形態のマルチニードルモジュール１００は傾斜施術に好適に使用することができる。
【００５３】
第２実施形態に係るマルチニードルモジュール６００は、複数のニードルガイド２９０Ａを含むが、ニードルガイド２９０Ａの先端面２９２Ａは、上述の曲面（Ｓ２）に沿って配列される。このように、ニードルガイド２９０Ａの先端面２９２Ａが、上述の曲面（Ｓ２）に沿って配列されることで、マルチニードルモジュール６００が傾斜施術により好適に使用することができる。
【００５４】
図８に示すように、ニードルガイド２９０Ａの先端面２９２Ｂは、曲面（Ｓ２）の一部を曲面で形成することができる。代案として、図１０に示すように、その先端面２９２Ｂは、ニードル５００に垂直な平面で形成されてよい。
【００５５】
マルチニードルモジュール６００は、ハウジング部２００を含み、ハウジング部２００の先端に配置される皮膚密着面も、上述の先端面２８２Ｂと同様に、前記曲面（Ｓ２）に沿って配置されることが望ましい。
【００５６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【産業上の利用可能性】
【００５７】
本発明は、浅い深さの皮膚層の施術に特に好適に使用することができる傾斜施術用のマルチニードルモジュールに関する。
【図１】
2020529890.tif 000003
【図２】
2020529890.tif 000004
【図３】
2020529890.tif 000005
【図４】
2020529890.tif 000006
【図５】
2020529890.tif 000007
【図６】
2020529890.tif 000008
【図７】
2020529890.tif 000009
【図８】
2020529890.tif 000010
【図９】
2020529890.tif 000011
【図１０】
2020529890.tif 000012
【国際調査報告】
2020529890.tif 000013
2020529890.tif 000014
2020529890.tif 000015
2020529890.tif 000016